(57)【要約】      （修正有）【課題】シーク動作時に、ドロップアウトが発生しても安定したオフトラック信号を生成できるオフトラック信号生成回路を提供する。【解決手段】ＲＦ信号１ａのボトムレベルを検出して、ボトムレベル信号１ｃを出力する第１の検波部１１と、ボトムレベル信号１ｃを帯域制限するＬＰＦ１７と、ドロップアウト検出信号３ｂに基づいて、ＬＰＦ１７のカットオフ周波数を可変する可変部３６と、ＬＰＦ１７が出力するボトムホールド信号６ａのボトム値を保持する第２の保持部１８と、第２の保持部１８の出力信号６ｂの値にオフセットを重畳するゲイン要素１３と、ボトムレベル信号１ｃを、ゲイン要素１３の出力信号６ｃをスライスレベル信号として２値化して、オフトラック信号６ｄを生成する比較器１４とを備える。【選択図】図７
2009015905.tif 000002
【特許請求の範囲】
【請求項１】
光ピックアップから光ディスクに対して照射されるレーザー光のスポットのオフトラックを示すオフトラック信号を生成するオフトラック信号生成回路において、
前記光ディスクからの反射光から前記光ピックアップによって検出されるＲＦ信号に対し検波を行いそのボトムレベル信号を出力する第１の検波部と、
前記光ピックアップにより検出されるＲＦ信号より、該ＲＦ信号にドロップアウトが発生したかを検出し、ドロップアウト検出信号を出力するドロップアウト検出信号生成回路と、
前記第１の検波部からの前記ボトムレベル信号を入力とし、前記ドロップアウト検出信号生成回路からドロップアウトの発生を知らせるドロップアウト検出信号状態が入力されたとき、ドロップアウト発生直前の前記ボトムレベル信号の値を保持し出力する第１の保持部と、
前記第１の保持部の出力信号を平均化するローパスフィルターと、
前記ローパスフィルターの出力信号の値にオフセットを重畳するゲイン要素と、
前記第１の検波部からの前記ボトムレベル信号を、前記ゲイン要素よりの出力信号と比較し、オフトラック信号を出力する比較部と、を備えた、
ことを特徴とするオフトラック信号生成回路。
【請求項２】
光ピックアップから光ディスクに対して照射されるレーザー光のスポットのオフトラックを示すオフトラック信号を生成するオフトラック信号生成回路において、
前記光ディスクからの反射光から前記光ピックアップによって検出されるＲＦ信号に対し検波を行いそのボトムレベル信号を出力する第１の検波部と、
前記光ピックアップにより検出されるＲＦ信号より、該ＲＦ信号にドロップアウトが発生したかを検出し、ドロップアウト検出信号を出力するドロップアウト検出信号生成回路と、
前記第１の検波部より出力されるボトムレベル信号を帯域制限するローパスフィルターと、
前記ドロップアウト検出信号生成回路からのドロップアウト検出信号の状態によって、前記ローパスフィルターのカットオフ周波数を可変する可変部と、
前記ローパスフィルターの出力信号の値にオフセットを重畳するゲイン要素と、
前記第１の検波部からの前記ボトムレベル信号を、前記ゲイン要素よりの出力信号と比較し、オフトラック信号を出力する比較部と、を備えた、
ことを特徴とするオフトラック信号生成回路。
【請求項３】
光ピックアップから光ディスクに対して照射されるレーザー光のスポットのオフトラックを示すオフトラック信号を生成するオフトラック信号生成回路において、
前記光ディスクからの反射光から前記光ピックアップによって検出されるＲＦ信号に対し検波を行いそのボトムレベル信号を出力する第１の検波部と、
前記光ピックアップにより検出されるＲＦ信号より、該ＲＦ信号にドロップアウトが発生したかを検出し、ドロップアウト検出信号を出力するドロップアウト検出信号生成回路と、
前記第１の検波部より出力されるボトムレベル信号を帯域制限するローパスフィルターと、
前記ドロップアウト検出信号生成回路からのドロップアウト検出信号の状態によって、前記ローパスフィルターのカットオフ周波数を可変する可変部と、
前記ローパスフィルターより出力されるボトムレベル信号のボトム値を保持し、出力する第２の保持部と、
前記第２の保持部の出力信号の値にオフセットを重畳するゲイン要素と、
前記第１の検波部より出力されるボトムレベル信号を、前記ゲイン要素よりの出力信号と比較し、オフトラック信号を出力する比較部と、を備えた、
ことを特徴とするオフトラック信号生成回路。
【請求項４】
光ピックアップから光ディスクに対して照射されるレーザー光のスポットのオフトラックを示すオフトラック信号を生成するオフトラック信号生成回路において、
前記光ディスクからの反射光から前記光ピックアップによって検出されるＲＦ信号に対し検波を行いそのボトムレベル信号を出力する第１の検波部と、
前記光ピックアップにより検出されるＲＦ信号より、該ＲＦ信号にドロップアウトが発生したかを検出し、ドロップアウト検出信号を出力するドロップアウト検出信号生成回路と、
前記第１の検波部より出力されるボトムレベル信号を帯域制限するローパスフィルターと、
前記第１の検波部より出力されるボトムレベル信号、および前記ローパスフィルターの出力信号が入力され、前記ドロップアウト検出信号生成回路からのドロップアウト検出信号がドロップアウトの未発生を示すときは、前記ボトムレベル信号を選択出力し、前記ドロップアウト検出信号がドロップアウトの発生を示すときは、前記ローパスフィルターの出力信号を選択出力する選択部と、
前記選択部の出力信号のボトム値を保持し、出力する第２の保持部と、
前記第２の保持部の出力信号の値にオフセットを重畳するゲイン要素と、
前記第１の検波部からのボトムレベル信号を、前記ゲイン要素よりの出力信号と比較し、オフトラック信号を出力する比較部と、を備えた、
ことを特徴とするオフトラック信号生成回路。
【請求項５】
請求項１ないし４のいずれかに記載のオフトラック信号生成回路を備えた、
ことを特徴とする光ディスク装置。
【発明の詳細な説明】
【技術分野】
【０００１】
本発明は、光ディスク装置に搭載されるオフトラック信号の生成回路に関する。
【背景技術】
【０００２】
光ディスク装置には、光ピックアップから光ディスクに対して照射されるレーザー光のスポットのオフトラックを示すオフトラック信号を生成するオフトラック信号生成回路が搭載されている。このオフトラック信号は、光ディスク装置において、例えば、トラックジャンプ処理などの光ピックアップのサーボ制御に用いられる。
【０００３】
図１４は、従来のオフトラック信号生成回路の構成例を示すブロック図である。図１４において、オフトラック信号生成回路１４０は、光ディスクからの反射光から光ピックアップによって生成されるＲＦ信号のボトムレベルを検波する第１の検波部１１と、検波されたボトムレベル信号を平均化するためのローパスフィルター（ＬＰＦ）１２と、ＬＰＦ１２の出力信号にオフセットを重畳するゲイン要素１３と、第１の検波部１１から出力されたボトムレベル信号と、ＬＰＦ１２及びゲイン要素１３を通過後の信号とを比較する比較器１４とを備える。
【０００４】
以上のように構成されるオフトラック信号生成回路１４０の動作について図１５を用いて説明する。図１５は、シーク動作時に、オフトラック信号生成回路１４０の各構成要素が出力する信号の波形図である。
【０００５】
第１の検波部１１はＲＦ信号１ａを入力する。ＲＦ信号１ａは、シーク動作時に、光ディスクの各トラックを横断するたびに反射率の影響でボトムレベルの値が高くなるという性質を持ち、図１５に示すような波形となる。第１の検波部１１は、ＲＦ信号１ａのボトムレベルを検波し、ボトムレベル信号１ｃを出力する。なお、図１５において、１ｂは、ＲＦ信号１ａのピークレベルを示している。次に、ＬＰＦ１２はボトムレベル信号１ｃを平均化する。次に、ゲイン要素１３は、平均化されたボトムレベル信号１ｃ´の信号レベルのオフセット量を任意に可変させて、スライスレベル信号１ｄを出力する。次に、比較器１４は、ボトムレベル信号１ｃとスライスレベル信号１ｄとを比較し、スライスレベル信号１ｄの値をスライスレベルとして、ボトムレベル信号１ｃを２値化することでオフトラック信号１ｅを生成する。
【特許文献１】特開２０００−１６３７５８号公報
【発明の開示】
【発明が解決しようとする課題】
【０００６】
しかし、従来のオフトラック信号生成回路１４０では、シーク動作時に、ドロップアウトが発生した場合、ドロップアウトが発生している状態から発生していない状態に切り替ったときに、正確なオフトラック信号が生成できないという問題点を有していた。ここで、ドロップアウトとは、例えば、ディスク面の埃や傷、黒点等に起因して、光ピックアップから照射されるレーザー光のスポットに対する反射率が変わり、ＲＦ信号の値が通常より著しく低下した値になる現象のことを指す。
【０００７】
以下、ドロップアウトが発生したときのオフトラック信号生成回路１４０の問題点について図１６を用いて説明する。図１６は、シーク動作時に、ドロップアウトが発生した場合に、オフトラック信号生成回路１４０の各構成要素が出力する信号の波形図である。
【０００８】
第１の検波部１１はＲＦ信号２ａを入力する。シーク動作時に、ドロップアウトが発生した場合、ＲＦ信号２ａの値は、ドロップアウト発生期間、通常より著しく低下する。よって、第１の検波部１１の出力信号であるボトムレベル信号２ｃも、ドロップアウト発生期間の間、通常より著しく低下した値になる。このボトムレベル信号２ｃを、ＬＰＦ１２が平均化し、さらにゲイン要素１３がその信号レベルのオフセット量を任意に可変することで、スライスレベル信号２ｄが生成される。
【０００９】
しかし、ボトムレベル信号２ｃは、ドロップアウト発生期間、通常より著しく低下した値で推移するため、スライスレベル信号２ｄも、ＬＰＦ１２の設定値に応じて徐々に低下する。これにより、ドロップアウトが発生している状態から発生していない状態に切り替わった時、スライスレベル信号２ｄはボトムレベル信号２ｃの値よりも十分低い値になる可能性がある。このため、ドロップアウトの発生状態から復帰した直後では、シーク動作に応じて生成されるＲＦ信号のボトムレベル信号の起伏に対して適切なスライスレベル信号が生成されず、図中のオフトラック信号２ｅで示すような波形が生成され、本来求める波形が得られないという問題が生じる。
【００１０】
本発明は、上記のような従来の問題点に鑑みてなされたもので、シーク動作時にドロップアウトが発生した場合においても、正確なオフトラック信号の生成を行うことのできるオフトラック信号生成回路、及び光ディスク装置を提供することを目的とする。
【課題を解決するための手段】
【００１１】
上記課題を解決するため、本発明の請求項１にかかるオフトラック信号生成回路は、光ピックアップから光ディスクに対して照射されるレーザー光のスポットのオフトラックを示すオフトラック信号を生成するオフトラック信号生成回路において、前記光ディスクからの反射光から前記光ピックアップによって検出されるＲＦ信号に対し検波を行いそのボトムレベル信号を出力する第１の検波部と、前記光ピックアップにより検出されるＲＦ信号より、該ＲＦ信号にドロップアウトが発生したかを検出し、ドロップアウト検出信号を出力するドロップアウト検出信号生成回路と、前記第１の検波部からの前記ボトムレベル信号を入力とし、前記ドロップアウト検出信号生成回路からのドロップアウトの発生を知らせるドロップアウト検出信号状態が入力されたとき、ドロップアウト発生直前の前記ボトムレベル信号の値を保持し出力する第１の保持部と、前記第１の保持部の出力信号を平均化するローパスフィルターと、前記ローパスフィルターの出力信号の値にオフセットを重畳するゲイン要素と、前記第１の検波部からの前記ボトムレベル信号を、前記ゲイン要素よりの出力信号と比較し、オフトラック信号を出力する比較部とを備えたことを特徴とする。
【００１２】
また、本発明の請求項２にかかるオフトラック信号生成回路は、光ピックアップから光ディスクに対して照射されるレーザー光のスポットのオフトラックを示すオフトラック信号を生成するオフトラック信号生成回路において、前記光ディスクからの反射光から前記光ピックアップによって検出されるＲＦ信号に対し検波を行いそのボトムレベル信号を出力する第１の検波部と、前記光ピックアップにより検出されるＲＦ信号より、該ＲＦ信号にドロップアウトが発生したかを検出し、ドロップアウト検出信号を出力するドロップアウト検出信号生成回路と、前記第１の検波部より出力されるボトムレベル信号を帯域制限するローパスフィルターと、前記ドロップアウト検出信号生成回路からのドロップアウト検出信号の状態によって、前記ローパスフィルターのカットオフ周波数を可変する可変部と、前記ローパスフィルターの出力信号の値にオフセットを重畳するゲイン要素と、前記第１の検波部からの前記ボトムレベル信号を、前記ゲイン要素よりの出力信号と比較し、オフトラック信号を出力する比較部とを備えたことを特徴とする。
【００１３】
また、本発明の請求項３にかかるオフトラック信号生成回路は、光ピックアップから光ディスクに対して照射されるレーザー光のスポットのオフトラックを示すオフトラック信号を生成するオフトラック信号生成回路において、前記光ディスクからの反射光から前記光ピックアップによって検出されるＲＦ信号に対し検波を行いそのボトムレベル信号を出力する第１の検波部と、前記光ピックアップにより検出されるＲＦ信号より、該ＲＦ信号にドロップアウトが発生したかを検出し、ドロップアウト検出信号を出力するドロップアウト検出信号生成回路と、前記第１の検波部より出力されるボトムレベル信号を帯域制限するローパスフィルターと、前記ドロップアウト検出信号生成回路からのドロップアウト検出信号の状態によって、前記ローパスフィルターのカットオフ周波数を可変する可変部と、前記ローパスフィルターより出力されるボトムレベル信号のボトム値を保持し、出力する第２の保持部と、前記第２の保持部の出力信号の値にオフセットを重畳するゲイン要素と、前記第１の検波部より出力されるボトムレベル信号を、前記ゲイン要素よりの出力信号と比較し、オフトラック信号を出力する比較部とを備えたことを特徴とする。
【００１４】
また、本発明の請求項４にかかるオフトラック信号生成回路は、光ピックアップから光ディスクに対して照射されるレーザー光のスポットのオフトラックを示すオフトラック信号を生成するオフトラック信号生成回路において、前記光ディスクからの反射光から前記光ピックアップによって検出されるＲＦ信号に対し検波を行いそのボトムレベル信号を出力する第１の検波部と、前記光ピックアップにより検出されるＲＦ信号より、該ＲＦ信号にドロップアウトが発生したかを検出し、ドロップアウト検出信号を出力するドロップアウト検出信号生成回路と、前記第１の検波部より出力されるボトムレベル信号を帯域制限するローパスフィルターと、前記第１の検波部より出力されるボトムレベル信号、および前記ローパスフィルターの出力信号が入力され、前記ドロップアウト検出信号生成回路からのドロップアウト検出信号がドロップアウトの未発生を示すときは、前記ボトムレベル信号を選択出力し、前記ドロップアウト検出信号がドロップアウトの発生を示すときは、前記ローパスフィルターの出力信号を選択出力する選択部と、前記選択部の出力信号のボトム値を保持し、出力する第２の保持部と、前記第２の保持部の出力信号の値にオフセットを重畳するゲイン要素と、前記第１の検波部からのボトムレベル信号を、前記ゲイン要素よりの出力信号と比較し、オフトラック信号を出力する比較部とを備えたことを特徴とする。
【００１５】
また、本発明の請求項５にかかる光ディスク装置は、請求項１ないし４のいずれかに記載のオフトラック信号生成回路を備えたことを特徴とする。
【発明の効果】
【００１６】
本発明の請求項１のオフトラック信号生成回路によれば、シーク動作時に、ディスク面の埃や傷等に起因してＲＦ信号が著しく低下する現象であるドロップアウトが発生した場合、ドロップアウト検出信号の状態に基づいて、スライスレベル信号の値としては、ドロップアウト発生前のボトム検波信号の値を、そのまま保持するようにしたので、ドロップアウト発生時のスライスレベル信号の低下を防ぎ、ドロップアウトの発生している状態から発生していない状態へ変化した直後であっても、ドロップアウトの影響を受けることのないスライスレベル信号の生成を行うことができ、その結果、より正確なオフトラック信号の生成を行うことができる。
【００１７】
また、本発明の請求項２のオフトラック信号生成回路によれば、シーク動作時に、ディスク面の埃や傷等に起因してＲＦ信号が著しく低下する現象であるドロップアウトが発生した場合であっても、ドロップアウト検出信号の状態に基づいて、ドロップアウトによって生じるボトム検波信号の低下を除去できるカットオフ周波数にローパスフィルターを設定するので、ドロップアウト発生時のスライスレベル信号の低下を防ぎ、ドロップアウトが発生している状態から発生していない状態へ変化した直後であっても、ドロップアウトの影響を受けることのないスライスレベル信号を生成することができ、その結果、より正確なオフトラック信号の生成を行うことができる。
【００１８】
また、本発明の請求項３のオフトラック信号生成回路によれば、シーク動作時に、ディスク面の埃や傷等に起因してＲＦ信号が著しく低下する現象であるドロップアウトが発生した場合であっても、ドロップアウト検出信号の状態に基づいて、ローパスフィルターのカットオフ周波数を制御し、ローパスフィルターと第２の保持部のいずれの効果を顕著にするかでスライスレベル信号を生成するので、ドロップアウト未発生時に正確なオフトラック信号を生成できるばかりでなく、ドロップアウト発生時におけるスライスレベル信号の低下を防いで、ドロップアウトが発生している状態から発生していない状態へ変化した直後であっても、ドロップアウトの影響を受けることのないスライスレベル信号を生成することができ、その結果、より正確なオフトラック信号の生成を行うことができる。
【００１９】
また、本発明の請求項４のオフトラック信号生成回路によれば、シーク動作時に、ディスク面の埃や傷等に起因してＲＦ信号が著しく低下する現象であるドロップアウトが発生した場合であっても、ドロップアウト検出信号の状態に基づいて、ローパスフィルターを通過するラインと通過しないラインのいずれかを選択することでスライスレベル信号を生成するので、ドロップアウト未発生時に正確なオフトラック信号を生成できるばかりでなく、ドロップアウト発生時におけるスライスレベル信号の低下を防いで、ドロップアウトが発生している状態から発生していない状態へ変化した直後であっても、ドロップアウトの影響を受けることのないスライスレベル信号を生成することができ、その結果、より正確なオフトラック信号の生成を行うことができる。
【００２０】
また、本発明の請求項５にかかる光ディスク装置によれば、請求項１乃至４のいずれかのオフトラック信号生成回路を搭載し、該オフトラック信号生成回路によって、ドロップアウトに影響されることなく、正確なオフトラック信号を生成するので、該オフトラック信号に基づいて、正確な、シーク動作やトラックジャンプ処理などの光ピックアップのサーボ制御、及び光ディスク装置全体の動作制御を行うことができる。
【発明を実施するための最良の形態】
【００２１】
以下、本発明を実施するための最良の形態について、図面を参照しながら説明する。
（実施の形態１）
【００２２】
以下、本発明の実施の形態１によるオフトラック信号生成回路について説明する。
【００２３】
本実施の形態１によるオフトラック信号生成回路１００は、シーク動作時に、ドロップアウトの検出状態に応じて、ＲＦ信号のボトムレベル信号の値を保持し、その保持した値に基づいて、オフトラック信号を生成するためのスライスレベルを設定することで、ドロップアウトに影響されることなく、正確なオフトラック信号を生成する。
【００２４】
図１は、本実施の形態１のオフトラック信号生成回路１００の構成を示すブロック図であり、該実施の形態１のオフトラック信号生成回路１００は、ＲＦ信号２ａのボトムレベルを検波して、ボトムレベル信号２ｃを出力する第１の検波部１１と、前記ボトムレベル信号２ｃが後述する第１の保持部１５を通過した出力信号を平均化するＬＰＦ１２と、該ＬＰＦ１２によって平均化されたボトムレベル信号４ａ´の値にオフセットを重畳するゲイン要素１３と、第１の検波部１１から出力されたボトムレベル信号２ｃを、該ボトムレベル信号２ｃが、後述する第１の保持部１５、前記ＬＰＦ１２、及び前記ゲイン要素１３を通過した後の信号４ｂと比較し、オフトラック信号４ｃを出力する比較器１４とを備えて構成される。
【００２５】
前記第１の保持部１５は、ＲＦ信号のドロップアウトが発生したか否かを示すドロップアウト検出信号３ｂに基づいて、第１の検波部１１から出力されるボトムレベル信号の値の保持・非保持を制御してＬＰＦ１２に出力するものである。なお、ドロップアウト検出信号の生成については後述するが、前記第１の保持部１５は、ドロップアウト検出信号がドロップアウトの未発生を示す場合は、ボトムレベル信号２ｃの値をそのままＬＰＦ１２に出力し、ドロップアウト検出信号３ｂがドロップアウト発生を示すときは、ドロップアウト発生直前のボトムレベル信号２ｃの値を保持し、ドロップアウト発生期間、該保持した値をＬＰＦ１２に出力するものである。
【００２６】
以下、前記ドロップアウト検出信号を生成するドロップアウト検出信号生成回路１２０の一例について、図２を用いて説明する。
【００２７】
図２において、該ドロップアウト検出信号生成回路１２０は、ＲＦ信号２ａのピークレベルを検波して、ピークレベル信号２ｂを出力する第２の検波部２１と、前記ピークレベル信号２ｂを平均化するローパスフィルター（ＬＰＦ）２２と、ＬＰＦ２２によって平均化されたピークレベル信号２ｂ´の値にオフセットを重畳するゲイン要素２３と、第２の検波部２１からのピークレベル信号２ｂを、該ピークレベル信号２ｂが前記ＬＰＦ２２及びゲイン要素２３を通過した後の信号３ａと比較し、ドロップアウト検出信号３ｂを出力する比較器２４とを備えて構成される。
【００２８】
このような構成の図２に示されるドロップアウト検出信号生成回路１２０の動作について図３を用いて説明する。図３は、ドロップアウトが発生した場合に、該ドロップアウト信号生成回路１２０の各構成要素が出力する信号の波形図である。
【００２９】
まず、ＲＦ信号２ａが第２の検波部２１に入力されると、該第２の検波部２１は該ＲＦ信号２ａを検波する。シーク動作時にドロップアウトが発生した場合、ＲＦ信号２ａの値は、ドロップアウト発生期間の間、通常より著しく低下する。前記第２の検波部２１は、ＲＦ信号２ａのピークレベルを検波して、ピークレベル信号２ｂを出力する。ＬＰＦ２２は、ピークレベル信号２ｂを平均化し、平均化したピークレベル信号２ｂ´を出力する。ゲイン要素２３は平均化されたピークレベル信号２ｂ´の信号レベルのオフセット量を任意に可変する。これにより、第２の検波部２１で検波されたＲＦ信号のピークレベル２ｂに対し、前記ゲイン要素２３からの出力信号３ａをドロップアウトの検出のためのスライスレベルとして用いることができる。
【００３０】
比較器２４は、前記第２の検波部２１で検波されたＲＦ信号のピークレベル２ｂを、該ピークレベル信号２ｂをＬＰＦ２２およびゲイン要素２３を通して作成したスライスレベル信号３ａと比較し、スライスレベル信号３ａをスライスレベルとして前記ピークレベル信号２ｂを２値化することで、ドロップアウト検出信号３ｂを生成する。
【００３１】
該ドロップアウト検出信号３ｂは、例えば、ドロップアウトが検出された場合、すなわち、ピークレベル信号２ｂの値がスライスレベルより下がった場合はＨｉｇｈになり、ドロップアウトが検出されなかった場合、すなわち、ピークレベル信号２ｂの値がスライスレベルを超えた場合はＬｏｗになる信号である。
【００３２】
なお、スライスレベル信号３ａを生成するときよりも、ゲイン要素２３のゲイン値を低く設定することで、スライスレベルをさらに低くしたスライスレベル信号３ｃを生成することも可能である。こうすることで、前述のドロップアウト検出信号３ｂよりも、ドロップアウトの検出期間、すなわち、Ｈｉｇｈの期間が短いドロップアウト検出信号３ｄを生成することができる。
【００３３】
次に、シーク動作時にドロップアウトが発生した場合の、図１に示される本実施の形態１のオフトラック信号生成回路１００の動作について図４を用いて説明する。
【００３４】
図４は、シーク動作時にドロップアウトが発生した場合に、本オフトラック信号生成回路１００の各構成要素が出力する信号の波形図である。
【００３５】
まず、ＲＦ信号２ａが第１の検波部１１に入力されると、該第１の検波部１１は、ＲＦ信号２ａのボトムレベルを検波して、ボトムレベル信号２ｃを出力する。シーク動作時にドロップアウトが発生した場合、ＲＦ信号２ａの値は、ドロップアウト発生期間の間、通常より著しく低下する。ドロップアウト発生期間の間、ドロップアウト検出信号生成回路１２０から出力されるドロップアウト検出信号３ｂはＨｉｇｈとなる。
【００３６】
第１の保持部１５はＨｉｇｈのドロップアウト検出信号３ｂを入力すると、ボトムレベル信号２ｃとして、そのドロップアウト検出直前の値をそのまま保持する。その結果、該第１の保持部１５の出力は、前記ドロップアウト検出直前の前記ボトムレベル信号２ｃの値であるボトムレベル信号４ａが出力される。前記ＬＰＦ１２は、ボトムレベル信号４ａを平均化し、平均化したボトムレベル信号４ａ´を出力する。
【００３７】
ゲイン要素１３は平均化されたボトムレベル信号４ａ´の信号レベルのオフセット量を任意に可変して、スライスレベル信号４ｂを生成する。このスライスレベル信号４ｂを、第１の検波部１１で検出されたＲＦ信号２ａのボトムレベル２ｃに対するスライスレベルとして用いる。
【００３８】
前記スライスレベル信号４ｂは、ドロップアウトが発生している状態でも、ドロップアウトによって低下するＲＦ信号の値に追従することなく、ドロップアウト検出直前の値を保持する。このため、ドロップアウトが発生している状態から発生していない状態に切り替わった直後であっても、スライスレベル信号４ｂの値は、ボトムレベル信号２ｃに対して、ドロップアウト発生直前のＲＦ信号に対する妥当なスライスレベルとなる。
【００３９】
比較器１４は、前記スライスレベル信号４ｂの値をスライスレベルとして、前記ボトムレベル信号２ｃを２値化して、オフトラック信号４ｃを生成する。
【００４０】
以上のように、本実施の形態１に係るオフトラック信号生成回路によれば、ドロップアウトが発生した場合に、ＲＦ信号２ａのボトムレベル２ｃの値として、ドロップアウト検出直前の値を保持する第１の保持部１５を備え、ドロップアウト発生期間の後においては、該第１の保持部１５で保持した値を用いてスライスレベル４ｂを設定し、オフトラック信号４ｃを生成するようにしたので、ドロップアウトが発生している状態から発生していない状態へ切り替わった直後であっても、正確なオフトラック信号の生成を行うことができる効果がある。
【００４１】
（実施の形態２）
次に、本発明の実施の形態２によるオフトラック信号生成回路について説明する。
【００４２】
本実施の形態２によるオフトラック信号生成回路は、シーク動作時にオフトラック信号を生成するためのスライスレベル信号を生成する役割を担うＬＰＦのカットオフ周波数を、ドロップアウトの発生状態に応じて可変し帯域制限することで、ドロップアウトに影響されることなく、正確なオフトラック信号を生成する。
【００４３】
図５は、本実施の形態２によるオフトラック信号生成回路２００の構成を示すブロック図であり、該実施の形態２のオフトラック信号生成回路２００は、ＲＦ信号２ａのボトムレベルを検波してボトムレベル信号２ｃを出力する第１の検波部１１と、前記ボトムレベル信号２ｃを平均化するＬＰＦ３２と、該ＬＰＦ３２によって平均化されたボトムレベル信号５ａの値にオフセットを重畳するゲイン要素１３と、第１の検波部１１からのボトムレベル信号２ｃを、該ボトムレベル信号２ｃが前記ＬＰＦ３２、及びゲイン要素１３を通過した後の信号５ｂと比較し、オフトラック信号５ｃを出力する比較器１４とを備え、さらに、上記実施の形態１で説明したドロップアウト検出信号生成回路１２０からのドロップアウト検出信号３ｂが入力されたとき、これに応じて前記ＬＰＦ３２のカットオフ周波数を可変する可変部１６とを備えて構成される。
【００４４】
次に、本実施の形態２のオフトラック信号生成回路２００の動作を、特に、シーク動作時にドロップアウトが発生した場合の動作について図６の動作波形図を用いて説明する。
【００４５】
まず、ＲＦ信号２ａが第１の検波部１１に入力されると、該第１の検波部１１は、ＲＦ信号２ａのボトムレベルを検波してボトムレベル信号２ｃを出力する。シーク動作時にドロップアウトが発生した場合、ＲＦ信号２ａの値は、ドロップアウト発生期間の間は、通常より著しく低下する。このとき、前記実施の形態１で説明したドロップアウト検出信号生成回路１２０は、Ｈｉｇｈのドロップアウト検出信号３ｂを可変部１６に出力する。可変部１６は、Ｈｉｇｈのドロップアウト検出信号３ｂを入力すると、ドロップアウト検出信号３ｂがＨｉｇｈの期間、すなわち、ドロップアウトの発生期間の間、ＬＰＦ３２のカットオフ周波数を、ドロップアウトの発生によってその値が低下するボトムレベル信号の周波数成分を除去できる値に可変する。つまり、可変部１６は、ＬＰＦ３２のカットオフ周波数を、ドロップアウトの検出状態に応じた値に可変する。このようにカットオフ周波数を可変することで、ＬＰＦ３２は、ドロップアウト発生期間の間、ボトムレベル信号の値の低下を防いで、ＲＦ信号のボトムレベルの値を保持したままのボトムレベル信号５ａを生成できる。
【００４６】
これにより、このボトムレベル信号５ａをゲイン要素１３に通過させて生成したスライスレベル信号５ｂの値は、ドロップアウトが発生しても低下することがない。
【００４７】
その結果、前記スライスレベル信号５ｂは、ドロップアウトが発生している期間、ドロップアウトによって低下するＲＦ信号の値に追従することなくドロップアウト発生直前の値をほぼ保持する。
【００４８】
このため、ドロップアウトが発生している状態から発生していない状態に切り替わった直後であっても、前記スライスレベル信号５ｂの値は、前記ボトムレベル信号２ｃに対して、ドロップアウト発生直前のＲＦ信号に対する妥当なスライスレベルとなる。比較器１４は、このスライスレベル信号５ｂの値をスライスレベルとしてボトムレベル信号２ｃを２値化して、オフトラック信号５ｃを生成する。
【００４９】
以上のように、本実施の形態２に係るオフトラック信号生成回路によれば、ドロップアウトが検出された時に、ドロップアウト発生期間の間にその値が低下してしまうボトムレベル信号の周波数成分を除去できる値にＬＰＦ３２のカットオフ周波数を可変する可変部１６を備え、該カットオフ周波数を変化させたＬＰＦ３２によって帯域制限されたボトムレベル信号５ａの値を用いてスライスレベル５ｂを設定し、オフトラック信号５ｃを生成するようにしたので、ドロップアウトが発生している状態から発生していない状態へ変化した直後でも、正確なオフトラック信号の生成を行うことができる効果がある。
【００５０】
（実施の形態３）
次に、本発明の実施の形態３によるオフトラック信号生成回路について説明する。
【００５１】
本実施の形態３によるオフトラック信号生成回路は、シーク動作時に、オフトラック信号を生成するためのスライスレベルを生成するＬＰＦのカットオフ周波数を、ドロップアウトの検出状態に応じて可変することで、ＲＦ信号のボトムレベルを示すボトムレベル信号を帯域制限し、ドロップアウトに影響されることなく、正確なオフトラック信号を生成する。
【００５２】
図７は、本実施の形態３によるオフトラック信号生成回路３００の構成を示すブロック図であり、該実施の形態３のオフトラック信号生成回路３００は、ＲＦ信号１ａ（２ａ）のボトムレベルを検波して、ボトムレベル信号１ｃ（２ｃ）を出力する第１の検波部１１と、ボトムレベル信号１ｃ（２ｃ）を帯域制限するＬＰＦ１７と、ＬＰＦ１７によって帯域制限されたボトムレベル信号６ａ（７ａ）を後述する第２の保持部１８を通過させた値にオフセットを重畳するゲイン要素１３と、第１の検波部１１からのボトムレベル信号１ｃ（２ｃ）を、該ボトムレベル信号１ｃ（２ｃ）がＬＰＦ１７、後述する第２の保持部１８、及びゲイン要素１３を通過した後の信号６ｃ（７ｃ）をスライスレベルとして２値化し、オフトラック信号６ｄ（７ｄ）を出力する比較器１４とを備え、さらに、ＲＦ信号１ａ（２ａ）においてドロップアウトが発生したか否かを示すドロップアウト検出信号３ｂが入力され、これに基づき、前記ＬＰＦ１７のカットオフ周波数を可変する可変部３６、および前記ＬＰＦ１７の出力信号６ａ（７ａ）のボトム値を保持する第２の保持部１８を備えて構成される。
【００５３】
次に、本実施の形態３のオフトラック信号生成回路３００の、シーク動作時にドロップアウトが発生していない場合の動作を、図８を用いて説明する。
【００５４】
図８は、ドロップアウトが発生していない場合に、本オフトラック信号生成回路３００の各構成要素が出力する信号の波形図である。
【００５５】
まず、ＲＦ信号１ａが第１の検波部１１に入力されると、該第１の検波部１１はＲＦ信号１ａのボトムレベルを検出して、ボトムレベル信号１ｃを出力する。シーク動作時に、ドロップアウトが発生していない箇所では、光ディスクのトラックをレーザー光のスポットが横切る度にＲＦ信号１ａのボトムレベル１ｃの値は高くなる。この時、可変部３６は、ＬＰＦ１７のカットオフ周波数を、シーク動作によって生じるＲＦ信号１ａのボトムレベルの推移がほぼそのまま通過するような値に設定する。
【００５６】
このように、ＬＰＦ１７は、ドロップアウトが検出されないときには、第１の検波部１１の出力であるボトムレベル信号１ｃを、そのままの状態で後段にボトムレベル信号６ａとして伝達する。第２の保持部１８は前記ボトムレベル信号６ａのボトム値を保持してボトムホールド信号６ｂを生成する。
【００５７】
さらに、ゲイン要素１３が前記ボトムホールド信号６ｂの信号レベルのオフセット量を任意に可変することで、スライスレベル信号６ｃを生成する。
【００５８】
これにより、該スライスレベル信号６ｃの値は、オフトラック信号の生成において、前記ボトムレベル信号１ｃに適したスライスレベルとなる。
【００５９】
比較器１４はこのスライスレベル６ｃによって前記ボトムレベル信号１ｃを２値化することで、オフトラック信号６ｄを生成する。
【００６０】
次に、本実施の形態３のオフトラック信号生成回路３００の、シーク動作時にドロップアウトが発生した場合の動作について、図９を用いて説明する。
【００６１】
図９は、ドロップアウトが発生した場合に、本オフトラック信号生成回路３００の各構成要素が出力する信号の波形図である。
【００６２】
ＲＦ信号２ａが第１の検波部１１に入力されると、該第１の検波部１１はＲＦ信号２ａのボトムレベルを検出してボトムレベル信号２ｃを出力する。シーク動作時に、ドロップアウトが発生した場合のＲＦ信号２ａの値は、ドロップアウト発生期間の間、通常より著しく低下する。
【００６３】
ドロップアウトの発生に伴い、ドロップアウト検出信号３ｂはＨｉｇｈとなるので、ドロップアウト検出信号３ｂがＨｉｇｈの期間、可変部３６は、ＬＰＦ１７のカットオフ周波数を、ドロップアウトによってその値が低下してしまうボトムレベル信号の周波数成分を除去できる値に可変する。
【００６４】
これにより、ＬＰＦ１７は、ボトムレベル信号２ｃのドロップアウトによる値の低下が伝達されることを防ぎ、ドロップアウト発生直前のＲＦ信号のボトムレベルの値を保持したままのボトムレベル信号７ａを生成する。その後、第２の保持部１８は、ボトムレベル信号７ａのボトム値を保持して、ボトムホールド信号７ｂを出力する。
【００６５】
ゲイン要素１３は、ボトムホールド信号７ｂの信号レベルのオフセット量を任意に可変する。ゲイン要素１３の出力信号は、第１の検波部１１で検出されたＲＦ信号のボトムレベルに対するスライスレベル信号７ｃとなる。
【００６６】
該スライスレベル信号７ｃは、ドロップアウトが発生している期間、ドロップアウトによって低下するＲＦ信号の値に追従することなく保持されているため、ドロップアウトが発生していない状態に切り替わった直後であっても、該スライスレベル信号７ｃの値は、前記ボトムレベル信号２ｃに対して、ドロップアウト発生直前のＲＦ信号の振幅に対して妥当なスライスレベルを示す。
【００６７】
比較器１４はこのスライスレベル信号７ｃの値をスライスレベルとして、前記ボトムレベル信号２ｃを２値化することで、オフトラック信号７ｄを生成する。
【００６８】
以上のように、本実施の形態３によるオフトラック信号生成回路によれば、ドロップアウトが検出された場合に、ドロップアウト検出信号に基づいて、ドロップアウトを検出中に低下してしまうボトムレベル信号の周波数成分を除去できる値にＬＰＦ１７のカットオフ周波数を可変する可変部３６と、ＬＰＦが出力するボトムホールド信号のボトム値を保持する第２の保持部１８とを備え、第２の保持部の出力信号６ｂ（７ｂ）の値に基づいてスライスレベル６ｃ（７ｃ）を設定し、オフトラック信号６ｄ（７ｄ）を生成するようにしたので、ドロップアウトが発生している状態から発生していない状態へ変化した直後でも、正確なオフトラック信号を生成することができる。
【００６９】
（実施の形態４）
次に、本発明の実施の形態４によるオフトラック信号生成回路について説明する。
【００７０】
本実施の形態４によるオフトラック信号生成回路は、シーク動作時に、ドロップアウトが検出されないときには、ＲＦ信号のボトムレベルに基づいてオフトラック信号を生成するためのスライスレベルを設定する。ドロップアウトが検出されたときには、ドロップアウトによって生じるボトムレベル信号の低下分の周波数成分を除去するＬＰＦを通過したボトムレベル信号の値に基づいて、オフトラック信号を生成するためのスライスレベルを設定する。このような動作により、ドロップアウトに影響されない、正確なオフトラック信号を生成する。
【００７１】
図１０は、本実施の形態４によるオフトラック信号生成回路４００の構成を示すブロック図であり、該実施の形態４のオフトラック信号生成回路４００は、ＲＦ信号１ａ（２ａ）のボトムレベルを検波して、ボトムレベル信号１ｃ（２ｃ）を出力する第１の検波部１１と、該ボトムレベル信号１ｃ（２ｃ）を平均化するＬＰＦ４２と、ドロップアウト検出信号３ｂに基づいて、ＬＰＦ４２を通過するボトムレベル信号と、ＬＰＦ４２を通過しないボトムレベル信号のいずれかを選択する選択部１９と、選択部１９の出力信号のボトム値を保持する第２の保持部２８と、第２の保持部２８の出力信号８ａ（９ａ）の値にオフセットを重畳するゲイン要素１３と、第１の検波部１１からのボトムレベル信号１ｃを、前記ゲイン要素１３の出力信号８ｂ（９ｂ）をスライスレベルとして２値化し、オフトラック信号８ｃ（９ｃ）を出力する比較器１４とを備えて構成される。
【００７２】
次に、本実施の形態４のオフトラック信号生成回路４００の、シーク動作においてドロップアウトが発生していないときの動作について図１１を用いて説明する。
【００７３】
図１１は、シーク動作時に、ドロップアウトが発生していない場合に、本オフトラック信号生成回路４００の各構成要素が出力する信号の波形図である。
【００７４】
まず、ＲＦ信号１ａが第１の検波部１１に入力されると、該第１の検波部１１はＲＦ信号１ａを検波して、ボトムレベル信号１ｃを出力する。シーク動作時に、ドロップアウトが発生していない箇所では、光ディスクのトラックを光スポットが横切る度に、ＲＦ信号のボトムレベルの値は高くなる。第１の検波部１１は、ＲＦ信号１ａのボトムレベルを検波して、ボトムレベル信号１ｃを、ＬＰＦ４２と選択部１９に出力する。
【００７５】
ＬＰＦ４２は、ボトムレベル信号１ｃを平均化する。このとき、ドロップアウト検出信号３ｂはＨｉｇｈではないことから、選択部１９は、ＬＰＦ４２を通過しないラインからの信号、すなわち、第１の検波部１１が出力するボトムレベル信号１ｃを選択して、第２の保持部２８に出力する。
【００７６】
第２の保持部２８は、ボトムレベル信号１ｃのボトム値を保持して、ボトムホールド信号８ａを生成する。
【００７７】
その後、ゲイン要素１３は、前記ボトムホールド信号８ａの信号レベルのオフセット量を任意に可変して、スライレベル信号８ｂを生成する。
【００７８】
これにより、スライスレベル信号８ｂの値は、オフトラック信号の生成において、前記ボトムレベル信号１ｃに適したスライスレベルとなる。
【００７９】
比較器１４は、前記ボトムレベル信号１ｃを、前記スライスレベル信号８ｂの値をスライスレベルとして２値化して、オフトラック信号８ｃを生成する。
【００８０】
次に、本実施の形態４のオフトラック信号生成回路４００の、シーク動作時にドロップアウトが発生した場合の動作について図１２を用いて説明する。
【００８１】
図１２は、ドロップアウトが発生した場合に、本オフトラック信号生成回路４００の各構成要素が出力する信号の波形図である。
【００８２】
まず、ＲＦ信号２ａが第１の検波部１１に入力されると、該第１の検波部１１はＲＦ信号２ａを検波して、ボトムレベル信号２ｃを生成する。シーク動作時に、ドロップアウトが発生した場合のＲＦ信号２ａの値は、ドロップアウト発生期間の間、通常より著しく低下する。第１の検波部１１はＲＦ信号２ａのボトムレベルを検波して、ボトムレベル信号２ｃを、ＬＰＦ４２と選択部１９に出力する。ＬＰＦ４２はボトムレベル信号２ｃを平均化して、選択部１９に出力する。
【００８３】
ここで、ＬＰＦ４２のカットオフ周波数は、ドロップアウトで生じる、低下したボトムレベル信号２ｃの周波数成分を除去できる値に予め設定されている。
【００８４】
ドロップアウトの発生に伴って、選択部１９に、Ｈｉｇｈのドロップアウト検出信号３ｂが入力されると、該ドロップアウト検出信号３ｂがＨｉｇｈである期間、選択部１９は、ＬＰＦ４２を通過するラインの信号を第２の保持部２８に出力する。
【００８５】
このように、ドロップアウトが検出された時にはＬＰＦ４２を通過する信号ラインを、ドロップアウトが検出されない時にはＬＰＦ４２を通過しない信号ラインを、選択することで、ドロップアウトによるボトムレベル信号２ｃの値の低下が後段に伝達されることを防ぎ、ドロップアウト発生前のＲＦ信号のボトムレベル２ｃの値を保持したボトムレベル信号を生成できる。
【００８６】
第２の保持部２８は、選択部１９が出力するボトムレベル信号のボトムレベルを保持して、ボトムホールド信号９ａをゲイン要素１３に出力する。ゲイン要素１３はボトムホールド信号９ａの信号レベルのオフセット量を任意に可変して、スライスレベル信号９ｂを生成する。
【００８７】
該スライスレベル信号９ｂは、ドロップアウトが発生している期間、ドロップアウトによって低下するＲＦ信号の値に追従することなく保持されているため、ドロップアウトが発生していない状態に切り替わった直後であっても、その値は、前記ボトムレベル信号２ｃに対して、ドロップアウト発生前のＲＦ信号に対して妥当なスライスレベルとなる。
【００８８】
比較器１４は、第１の検波部１１よりのボトムレベル信号２ｃを、前記スライスレベル信号９ｂの値をスライスレベルとして２値化して、オフトラック信号９ｃを生成する。
【００８９】
以上のように本実施の形態４に係るオフトラック信号生成回路によれば、ドロップアウトが検出されない時には、ＲＦ信号のボトムレベル１ｃをスライスレベルとし、ドロップアウトが検出された時には、そのカットオフ周波数が、ドロップアウトで生じるボトムレベル信号の低下分の周波数成分を除去できる値に予め設定されたＬＰＦ４２を通過したボトムレベル信号のボトムレベルをスライスレベルとして、オフトラック信号８ｃ（９ｃ）を生成するようにしたので、ドロップアウトが発生している状態から発生していない状態へ変化した直後でも、正確なオフトラック信号を生成することができる。
【００９０】
（実施の形態５）
図１３は、本実施の形態５に係る光ディスク装置の構成例を示すブロック図である。図１３に示す光ディスク装置は、前記実施の形態１から４にて説明したオフトラック信号生成回路のいずれかを搭載するものである。
【００９１】
図１３において、光ディスク装置１３０は、光ディスク１０１の情報記録面のトラックに記録された情報を再生する、または、光ディスク１０１の情報記録面のトラックに情報を記録する。光ディスク装置１３０は、光ディスク１０１を回転させるスピンドルモータ１０２と、光ディスク１０１にレーザー光を集光照射してレーザースポットを形成し、その反射光を受光してＲＦ信号を生成する光ピックアップ１０３と、前記ＲＦ信号を基にドロップアウト検出信号を生成する、例えば、図２に示す構成のドロップアウト検出信号生成回路１０４と、前記ＲＦ信号を基にオフトラック信号を生成する、前記実施の形態１から４にて説明したいずれかの構成のオフトラック信号生成回路１０５と、前記オフトラック信号に基づいて、光ピックアップ１０３におけるトラッキングサーボ制御、及び光ピックアップ１０３のトラバースサーボ制御を行うサーボ制御部１０６と、サーボ制御部１０６からのトラバース駆動信号により光ピックアップ１０３をトラバース移動させるトラバース駆動部１０７と、サーボ制御部１０６からのトラッキングアクチュエータ駆動信号によって光ピックアップ１０３が有する対物レンズ（図示せず）をトラッキング方向（光ディスク１０１の半径方向）に移動させるトラッキングアクチュエータ１０８とを備える。
【００９２】
以上のように構成される光ディスク装置１３０でのオフトラック信号生成回路１０５の役割と動作について説明する。まず、光ディスク１０１が光ディスク装置１００にセットされる。次に、スピンドルモータ１０２が光ディスク１０１を回転させ、光ピックアップ１０３が光ディスク１０１の情報記録面に対して、レーザー光を集光照射する。次に、光ピックアップ１０３はレーザー光の反射光を受光する。この反射光の受光によって、レーザースポットが光ディスク１０１のトラックに対してどの程度外れているかを計測できる。この反射光量は、例えば、電圧値として生成したり、デジタルの多値で生成したりすることができ、その生成信号がＲＦ信号としてドロップアウト検出信号生成回路１０４とオフトラック信号生成回路１０５に入力される。ドロップアウト検出信号生成回路１０４では、図２を用いて説明したように、ディスク面の埃、傷、または黒点等に起因してドロップアウトが発生した場合、ＲＦ信号の波形推移からドロップアウトの発生を検出して、ドロップアウトの発生を後段の回路に伝達するためのドロップアウト検出信号を生成する。また、オフトラック信号生成回路１０５は、前記実施の形態１から４で説明したように、前記ＲＦ信号と前記ドロップアウト検出信号とを用いることで、ドロップアウトが発生した場合であっても、ドロップアウトの影響を受けることなく、より正確なオフトラック信号を生成する。
【００９３】
オフトラック信号生成回路１０５によって生成されたオフトラック信号は、サーボ制御部１０６にて、例えば、光ピックアップにより生成されたレーザースポットがシーク動作時に光ディスクのトラックを何本横断したかという計算のためや、光ディスク１０１上における光スポットの現在位置を把握して、光ピックアップを任意のトラック上へ移動させるためのトラバース駆動信号及びトラッキングアクチュエータ駆動信号の生成のために用いることができる。トラバース駆動信号は、光ピックアップ１０３をトラバース移動させるトラバース駆動部１０７に出力される。トラッキングアクチュエータ駆動信号は、光ピックアップ１０３が有する対物レンズを径方向に移動し、レーザースポットの中心をトラックの中心に位置させるように制御するトラッキングアクチュエータ１０８に出力される。
【００９４】
以上のように、本実施の形態５に係る光ディスク装置によれば、オフトラック信号生成回路１０５によって、ドロップアウトに影響されることなく、正確なオフトラック信号を生成することから、オフトラック信号を用いて、正確な、シーク動作、トラックジャンプ処理、光ピックアップのサーボ制御及び光ディスク装置全体の動作制御を行うことができる。
【産業上の利用可能性】
【００９５】
本発明に係るオフトラック信号生成回路は、光ディスク制御における基本動作の一つであるシーク動作に関連するもので、また、ディスク面の埃や傷に起因したドロップアウトに関しても、光ディスク制御において対策が必要不可欠なファクターとなっているため、今後、色々な環境での適用が見込まれるものとして有用である。
【図面の簡単な説明】
【００９６】
【図１】本発明の実施の形態１に係るオフトラック信号生成回路の構成例を示すブロック図である。
【図２】本発明の実施の形態１に係るオフトラック信号生成回路に入力されるドロップアウト検出信号を生成するドロップアウト検出信号生成回路の構成例を示すブロック図である。
【図３】図２に示すドロップアウト検出信号生成回路の各構成要素が出力する信号の波形図である。
【図４】本発明の実施の形態１に係るオフトラック信号生成回路の各構成要素が出力する信号の波形図である。
【図５】本発明の実施の形態２に係るオフトラック信号生成回路の構成例を示すブロック図である。
【図６】本発明の実施の形態２に係るオフトラック信号生成回路の各構成要素が出力する信号の波形図である。
【図７】本発明の実施の形態３に係るオフトラック信号生成回路の構成例を示すブロック図である。
【図８】本発明の実施の形態３に係るオフトラック信号生成回路の各構成要素が、ドロップアウト未検出時に、出力する信号の波形図である。
【図９】本発明の実施の形態３に係るオフトラック信号生成回路の各構成要素が、ドロップアウト検出時に、出力する信号の波形図である。
【図１０】本発明の実施の形態４に係るオフトラック信号生成回路の構成例を示すブロック図である。
【図１１】本発明の実施の形態４に係るオフトラック信号生成回路の各構成要素が、ドロップアウト未検出時に、出力する信号の波形図である。
【図１２】本発明の実施の形態４に係るオフトラック信号生成回路の各構成要素が、ドロップアウト検出時に、出力する信号の波形図である。
【図１３】本発明の実施の形態５に係る光ディスク装置の構成例を示すブロック図である。
【図１４】従来のオフトラック信号生成回路の構成例を示すブロック図である。
【図１５】従来のオフトラック信号生成回路の各構成要素が、ドロップアウト未検出時に、出力する信号の波形図である。
【図１６】従来のオフトラック信号生成回路の各構成要素が、ドロップアウト検出時に、出力する信号の波形図である。
【符号の説明】
【００９７】
１１  第１の検波部
１２、１７、２２、３２、４２  ローパスフィルター
１３、２３  ゲイン要素
１４、２４  比較器
１５  第１の保持部
１６、３６  可変部
１８、２８  第２の保持部
１９  選択部
２１  第２の検波部
１００、２００、３００、４００、１４０、１０５  オフトラック信号生成回路
１０１  光ディスク
１０２  スピンドルモータ
１０３  光ピックアップ
１０４、１２０  ドロップアウト検出信号生成回路
１０６  サーボ制御部
１０７  トラバース駆動部
１０８  トラッキングアクチュエータ
１３０  光ディスク装置
１ａ  ドロップアウト未発生時のＲＦ信号
１ｂ  ＲＦ信号１ａのピークレベルを示すピークレベル信号
１ｃ  ＲＦ信号１ａのボトムレベルを示すボトムレベル信号
１ｃ´  ＬＰＦ１２によって平均化されたボトムレベル信号
１ｄ  ドロップアウト未発生時のオフトラック信号作成用のスライスレベル信号
１ｅ  ドロップアウト未発生時のオフトラック信号生成回路１４０が出力するオフトラック信号
２ａ  ドロップアウト発生時のＲＦ信号
２ｂ  ＲＦ信号２ａのピークレベル示すピークレベル信号
２ｂ´  ＬＰＦ２２によって平均化されたピークレベル信号
２ｃ  ＲＦ信号２ａのボトムレベルを示すボトムレベル信号
２ｄ  ドロップアウト発生時のオフトラック信号作成用のスライスレベル信号
２ｅ  ドロップアウト発生時のオフトラック信号生成回路１４０が出力するオフトラック信号
３ａ、３ｃ  ドロップアウト発生時のドロップアウト検出信号作成用のスライスレベル信号
３ｂ、３ｄ  ドロップアウト発生時のドロップアウト検出信号
４ａ  第１の保持部１５が出力するボトムレベル信号
４ａ´  ＬＰＦ１２によって平均化されたボトムレベル信号
４ｂ、５ｂ、７ｃ、９ｂ  ドロップアウト発生時のオフトラック信号作成用のスライスレベル信号
４ｃ  オフトラック信号生成回路１００が出力するオフトラック信号
５ａ  ＬＰＦ３２によって平均化されたボトムレベル信号
５ｃ  オフトラック信号生成回路２００が出力するオフトラック信号
６ａ  ドロップアウト未発生時にＬＰＦ１７によって帯域制限されたボトムレベル信号
６ｂ  ドロップアウト未発生時に第２の保持部１８が出力するボトムホールド信号
６ｃ、８ｂ  ドロップアウト未発生時のオフトラック信号作成用のスライスレベル信号
６ｄ  ドロップアウト未発生時にオフトラック信号生成回路３００が出力するオフトラック信号
７ａ  ドロップアウト発生時にＬＰＦ１７によって帯域制限されたボトムレベル信号７ｂ  ドロップアウト発生時に第２の保持部１８が出力するボトムホールド信号
７ｄ  ドロップアウト発生時にオフトラック信号生成回路３００が出力するオフトラック信号
８ａ  ドロップアウト未発生時に第２の保持部２８が出力するボトムホールド信号
８ｃ  ドロップアウト未発生時にオフトラック信号生成回路４００が出力するオフトラック信号
９ａ  ドロップアウト発生時に第２の保持部２８が出力するボトムホールド信号
９ｃ  ドロップアウト未発生時にオフトラック信号生成回路４００が出力するオフトラック信号
【図１】
2009015905.tif 000003
【図２】
2009015905.tif 000004
【図３】
2009015905.tif 000005
【図４】
2009015905.tif 000006
【図５】
2009015905.tif 000007
【図６】
2009015905.tif 000008
【図７】
2009015905.tif 000009
【図８】
2009015905.tif 000010
【図９】
2009015905.tif 000011
【図１０】
2009015905.tif 000012
【図１１】
2009015905.tif 000013
【図１２】
2009015905.tif 000014
【図１３】
2009015905.tif 000015
【図１４】
2009015905.tif 000016
【図１５】
2009015905.tif 000017
【図１６】
2009015905.tif 000018